(57)【要約】【課題】効率的な配送ルートとを含めた総合的な配送計画を自動的に生成する配送計画生成システムを提供する。【解決手段】配送計画生成システムＳ１は、消費材３００の残量を検出する残量検出手段１０（１１）と、残量検出手段で検出された残量値データＤ３を送信する送信手段１２と、残量値データを受信する受信手段１５０と、受信手段で受信した残量値データと、予め入力されている消費材の配送に関するデータＤ５とを格納する格納手段１０２と、残量値データと消費材の配送に関するデータとに基づいて配送時期と配送ルートを算出する演算手段１０３と、算出した配送時期と配送ルートとを端末装置２００Ａに配信する配信手段１０５とを備え、消費材の配送に関するデータは、配送員の勤務シフトのデータ、配送車両の積載量のデータ、配送車両の走行距離のデータ、消費材の在庫量のデータの少なくとも１つを含んでいる。【選択図】図１
2019219783.tif 000002
【特許請求の範囲】
【請求項１】
消費材の残量を検出する残量検出手段と、
前記残量検出手段で検出された残量値データを送信する送信手段と、
前記送信手段から送信された残量値データを受信する受信手段と、
前記受信手段で受信した残量値データと、予め入力されている前記消費材の配送に関するデータとを格納する格納手段と、
前記残量値データと前記消費材の配送に関するデータとに基づいて配送時期と配送ルートを算出する演算手段と、
算出した前記配送時期と前記配送ルートとを端末装置に配信する配信手段と
を備えた配送計画生成システムであって、
前記消費材の配送に関するデータは、配送員の勤務シフトのデータ、配送車両の積載量のデータ、前記配送車両の走行距離のデータ、前記消費材の在庫量のデータの少なくとも１つを含むことを特徴とする配送計画生成システム。
【請求項２】
前記消費材の配送に関するデータは、前記配送員の作業負担を平均化するためのデータをさらに含み、
前記作業負担を平均化するためのデータは、前記配送員の運転距離、前記消費材の重量、体積、配送先のエレベータの有無、配送作業で使用する階段の段数、配送車の停車場所と作業場所の距離、現地作業の複雑さに関するデータの少なくとも１つを含むことを特徴とする請求項１に記載の配送計画生成システム。
【請求項３】
前記演算手段は、
前記配送ルートを算出する際に、
配送地域にプロットした複数の配送先までの距離に基づいて大まかな巡回ルートとなる第１の配送ルートを算出し、
前記第１の配送ルートを予め格納した地図データに照らし合わせて、実際の走行ルートとなる第２の配送ルートを決定することを特徴とする請求項１または請求項２に記載の配送計画生成システム。
【請求項４】
前記演算手段は、
前記残量値データに基づく優先順位を勘案して前記第２の配送ルートを選択することを特徴とする請求項３に記載の配送計画生成システム。
【請求項５】
前記消費材は、ガスボンベに充填されるＬＰガスおよび燃料電池に充填される水素ガスを含むことを特徴とする請求項１から請求項４の何れか１項に記載の配送計画生成システム。
【請求項６】
消費材の残量を検出する残量検出過程と、
前記残量検出手段で検出された残量値データを送信する送信過程と、
前記送信手段から送信された残量値データを受信する受信過程と、
前記受信過程で受信した残量値データと、予め入力されている前記消費材の配送に関するデータとに基づいて配送時期と配送ルートを算出する演算過程と
を有する配送計画生成プログラムであって、
前記消費材の配送に関するデータは、配送員の勤務シフトのデータ、配送車両の積載量のデータ、前記配送車両の走行距離のデータ、前記消費材の在庫量のデータの少なくとも１つを含むことを特徴とする配送計画生成プログラム。
【発明の詳細な説明】
【技術分野】
【０００１】
本発明は、ＬＰガスボンベや燃料電池等の消費材の配送計画を生成する配送計画生成システムおよびプログラムに関するものである。
【背景技術】
【０００２】
従来において、ＬＰガスボンベや燃料電池等の消費材の配送計画は、人員による使用量の検針結果に基づいて残量を予測し、その残量予測に基づいて配送計画を作成していた。
【０００３】
ところが、ガスメータ等の検針装置に関する技術の進展により、ガスの使用量等の情報を送受信し、その情報に基づいて配送計画を算出する技術が提案されている（特許文献１等参照）。
【先行技術文献】
【特許文献】
【０００４】
【特許文献１】特開平７−１２９６６６
【発明の概要】
【発明が解決しようとする課題】
【０００５】
一方で、ＬＰガスボンベや燃料電池等を配送する際には、配送効率を高めるために、１回の配送業務で複数箇所の消費者間を効率的に巡回することが求められる。
【０００６】
しかしながら、配送トラック等のルート検索に関する技術は種々提案されているものの、ＬＰガスボンベ等の消費材の配送時期と、効率的な配送ルートとを含めた総合的な配送計画を自動的に生成する配送計画生成システムは未だ開発されていない。
【０００７】
本発明は、上述のような課題を解決すべくなされたものであり、ＬＰガスボンベ等の消費材の配送時期と、効率的な配送ルートとを含めた総合的な配送計画を自動的に生成する配送計画生成システムおよびプログラムを提供することを目的とする。
【課題を解決するための手段】
【０００８】
前記課題を解決するため、請求項１に係る配送計画生成システムは、消費材の残量を検出する残量検出手段と、前記残量検出手段で検出された残量値データを送信する送信手段と、前記送信手段から送信された残量値データを受信する受信手段と、前記受信手段で受信した残量値データと、予め入力されている前記消費材の配送に関するデータとを格納する格納手段と、前記残量値データと前記消費材の配送に関するデータとに基づいて配送時期と配送ルートを算出する演算手段と、算出した配送時期と配送ルートとを端末装置に配信する配信手段とを備えた配送計画生成システムであって、前記消費材の配送に関するデータは、配送員の勤務シフトのデータ、配送車両の積載量のデータ、前記配送車両の走行距離のデータ、前記消費材の在庫量のデータの少なくとも１つを含むことを要旨とする。
【０００９】
これにより、ＬＰガスボンベ等の消費材の配送時期と、効率的な配送ルートとを含めた総合的な配送計画を自動的に生成することができる。
【００１０】
請求項２に係る配送計画生成システムは、請求項１に記載の発明において、前記消費材の配送に関するデータは、前記配送員の作業負担を平均化するためのデータをさらに含み、前記作業負担を平均化するためのデータは、前記配送員の運転距離、前記消費材の重量、体積、配送先のエレベータの有無、配送作業で使用する階段の段数の少なくとも１つを含むことを要旨とする。
【００１１】
これにより、配送員の負担を平均化することができ、労務環境を向上することができる。
【００１２】
請求項３に係る配送計画生成システムは、請求項１または請求項２に記載の発明において、前記演算手段は、前記配送ルートを算出する際に、配送地域にプロットした複数の配送先までの距離に基づいて大まかな巡回ルートとなる第１の配送ルートを算出し、前記第１の配送ルートを予め格納した地図データに照らし合わせて、実際の走行ルートとなる第２の配送ルートを決定することを要旨とする。
【００１３】
これにより、いきなり実際の走行ルートを検索する処理に比して、より高速に最適な配送ルートを検索することが可能となり、利便性を向上することができる。
【００１４】
請求項４に係る配送計画生成システムは、請求項３に記載の発明において、前記演算手段は、前記残量値データに基づく優先順位を勘案して前記第２の配送ルートを選択することを要旨とする。
【００１５】
これにより、残量値がより少ない配送先に優先的に配送すること等の措置を取ることができ、効率性と共に顧客満足度を向上することができる。
【００１６】
請求項５に係る配送計画生成システムは、請求項１から請求項４の何れか１項に記載の発明において、前記消費材は、ガスボンベに充填されるＬＰガスおよび燃料電池に充填される水素ガスを含むことを要旨とする。
【００１７】
請求項６に係る配送計画生成プログラムは、消費材の残量を検出する残量検出過程と、前記残量検出手段で検出された残量値データを送信する送信過程と、前記送信手段から送信された残量値データを受信する受信過程と、前記受信過程で受信した残量値データと、予め入力されている前記消費材の配送に関するデータとに基づいて配送時期と配送ルートを算出する演算過程とを有する配送計画生成プログラムであって、前記消費材の配送に関するデータは、配送員の勤務シフトのデータ、配送車両の積載量のデータ、前記配送車両の走行距離のデータ、前記消費材の在庫量のデータの少なくとも１つを含むことを要旨とする。
【発明の効果】
【００１８】
本発明によれば、効率的な配送ルートとを含めた総合的な配送計画を自動的に生成する配送計画生成システムを実現することができる。
【図面の簡単な説明】
【００１９】
【図１】実施の形態に係る配送計画生成システムの機能構成を示す機能ブロック図である。
【図２】実施の形態に係る配送計画生成システムの構成を示すブロック図である。
【図３】実施の形態に係る配送計画生成システムに適用されるサーバの構成例を示すブロック図である。
【図４】実施の形態に係る配送計画生成システムで実行される配送計画作成処理の処理手順を示すフローチャートである。
【図５】実施の形態に係る配送計画生成システムで作成された第１の配送ルートの例を示す説明図である。
【図６】実施の形態に係る配送計画生成システムで作成された配送計画（第２の配送ルート）の例を示す説明図である。
【発明を実施するための形態】
【００２０】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２１】
図１から図６を参照して、本実施の形態に係る配送計画生成システムＳ１について説明する。
【００２２】
ここで、図１は、本実施の形態に係る配送計画生成システムＳ１の機能構成を示す機能ブロック図、図２は、配送計画生成システムＳ１の構成を示すブロック図、図３は、配送計画生成システムＳ１に適用されるサーバ１００の構成例を示すブロック図、図４は、配送計画生成システムＳ１で実行される配送計画作成処理の処理手順を示すフローチャート、図５は、配送計画生成システムＳ１で作成された配送ルートの例を示す説明図、図６は、配送計画生成システムＳ１で作成された配送計画の例を示す説明図である。
【００２３】
（配送計画生成システムの構成）
図１の機能ブロックおよび図２のブロック図を参照して、本実施の形態に係る配送計画生成システムＳ１の機能構成および構成例について説明する。
【００２４】
配送計画生成システムＳ１は、ガスボンベに充填されるＬＰガスや、燃料電池に充填される水素ガス等の消費材３００の残量を検出するガスメータ１０或いは電力メータ１１等で構成される残量検出手段と、残量検出手段１０（１１）で検出された残量値データＤ３（Ｄ１、Ｄ２）を送信する指針集計システム等で構成される送信手段１２と、送信手段１２から送信された残量値データを受信する受信手段１５０と、受信手段１５０で受信した残量値データＤ３と、予め入力されている消費材３００の配送に関するデータＤ５とを格納するサーバ１００のデータベース等で構成される格納手段１０２と、残量値データＤ３と消費材の配送に関するデータＤ５とに基づいて配送時期と配送ルートを算出するＣＰＵ等を備えるビッグデータ処理システム等で構成される演算手段１０３と、算出した配送時期と配送ルートとを複数の端末装置（モバイル端末等）２００Ａ、２００Ｂに配信する配信手段１０５とを備える。
【００２５】
図１に示すように、消費材３００、残量検出手段１０（１１）および送信手段１２は、配送先４００としての消費者の住居等に配置される。なお、配送先（顧客）４００は、配送地域内に複数存在するものとする。
【００２６】
消費材の配送に関するデータＤ５としては、配送員の勤務シフトのデータ、配送車両の積載量のデータ、配送車両の走行距離のデータ、消費材３００の在庫量のデータの少なくとも１つが含まれる。
【００２７】
また、消費材の配送に関するデータＤ５には、配送員の作業負担を平均化するためのデータをさらに含むようにできる。
【００２８】
作業負担を平均化するためのデータとしては、配送員の運転距離、消費材３００の重量、体積、配送先のエレベータの有無、配送作業で使用する階段の段数の少なくとも１つを含むようにできる。
【００２９】
これにより、配送員の負担を平均化することができ、労務環境を向上することができる。
【００３０】
作業負担を平均化するためのデータとしては、上記以外に、配送車を停車可能な場所とボンベ設置場所までの距離、ボンベを交換する際のボンベ種別ごとの本数、ボンベ設置場所の難易度（例えば、設置場所が狭く、手前側から一本ずつしか取り出せないスペースの場合、一番奥のボンベを交換したい場合に、手前側を全て出さないと奥のボンベを交換出来ない等の事情に関するデータなどが挙げられる。
【００３１】
図２に例示するガス事業者に設置されるサーバ１００では、具体的には、顧客情報を管理する顧客情報管理部、指針管理部、軒先に配置されるＬＰガスボンベの残量を計算する軒先残量計算部、前年の配送実績等を計算する前年実績計算部、ＬＰガスの使用量を予測する使用量予測計算部、各種パラメータを管理するパラメータ管理部、配送員および配送車を管理する配送員配送車管理部、配送人員を選択する配送人員選択部、配送車両の積載量を管理する配送車両積載量管理部、配送距離および燃料消費量を管理する配送距離・燃料管理部、電子地図データ等を管理する地図情報管理部、効率的な配送ルートを算出する効率的配送ルート算出部、効率的な積載量を割り振る効率的積載量指示部等の各種処理部１０１が搭載されている。
【００３２】
ビックデータ処理システム１０３は、より具体的には、高速に計算を実施可能なデータベース等で構成され、過去の配送実績や、その際の残ガス量を参照しつつ、今回の最適な配送担当、配送実施日、積載するボンベの種別本数の決定、ボンベ内の推定残ガス量の計算、残ガスの余裕日数計算などの処理が実行される。
【００３３】
そして、ビックデータ処理システム（演算手段）１０３は、配送ルートを算出する際に、配送地域にプロットした複数の配送先までの距離に基づいて大まかな巡回ルートとなる第１の配送ルートＲ１（図５参照）を算出する。
【００３４】
この時点で、どの担当者がどの配送先に配送を行うのが一番効率が良いかを判断して、配送担当者の振り分けも行う。
【００３５】
なお、積載量の関係で、ボンベの積み込みが出来ない場合には、他の配送担当が配送をするように計算を行う。
【００３６】
また、配送員の勤務シフトも加味した計算を行うので、例えば、午前勤務、午後勤務という半日の勤務日の場合、その勤務時間内に配送が終わるような配送の割り振りとなる。
【００３７】
この第１の配送ルートＲ１を予め格納した地図データＭ１に照らし合わせて、実際の走行ルートとなる第２の配送ルートＲ２を決定することができる。なお、具体例については後述する。
【００３８】
また、ビックデータ処理システム（演算手段）１０３は、残量値データＤ３に基づく優先順位を勘案して第１の配送ルートＲ１を算出するようにできる。
【００３９】
なお、積載量や配送員のシフトの関係で、本来配送すべき先の配送が困難な場合は、直近のガス使用量の増加率及び、最新の残ガス、過去実績を元にガスの消費予測計算を行い、ガス切れを発生させる可能性が高い配送先を優先するようにできる。
【００４０】
逆に、配送すべき先を全て配送しても、積載量や勤務シフトに余裕がある場合には、残ガスが次に少ない先を優先に配送先を追加決定する。
【００４１】
ビックデータ処理システム（演算手段）１０３によって算出された第１の配送ルートＲ１等の配送データＤ１０は、配信手段１０５を介してモバイル端末２００Ａ、２００Ｂ等に無線送信される。
【００４２】
モバイル端末２００Ａ、２００Ｂ等に配信されて格納手段２０１に格納される配送データＤ１０としては、容器積載指示、配送先指示、配送ルート指示、走行距離管理データ、走行ルート管理データ、現在地管理データ、過去走行ルート管理データ等が含まれる。
【００４３】
（サーバの構成例）
図３を参照して、本実施の形態に係る配送計画生成システムＳ１に適用可能なサーバ１００の構成例について説明する。
【００４４】
サーバ１００は、演算手段としてのビックデータ処理システム１０３を備え、ビックデータ処理システム１０３には、キーボードおよびマウス等のポインティングデバイスを含む入力装置３０１、液晶ディスプレイ等で構成される表示部３０２が接続されている。
【００４５】
また、データ処理システム１０３は、ＮＡＳドライブ装置３０４等を含む補助記憶装置３０３が接続されている。
【００４６】
なお、補助記憶装置３０３に格納されるデータとしては、過去の指針、配送実績（交換本数、担当、残ガス）、顧客情報、メータ情報などが挙げられる。
【００４７】
データ処理システム１０３には、格納手段としての記憶装置（ハードディスク等）１０２が接続されている。
【００４８】
記憶装置（ハードディスク等）１０２には、広域地図、道路地図等の電子地図データを格納したデータベースＤＢ１、顧客情報、顧客位置（緯度経度）情報等の顧客管理データを格納したデータベースＤＢ２、配送センターからの距離情報等の配送地点管理データを格納したデータベースＤＢ３、ＬＰガスボンベ等の容器残量、容器情報等の容器管理データを格納したデータベースＤＢ４、積載量、配送員勤務シフト情報等の配送員・車両管理データを格納したデータベースＤＢ５、配送割振情報、配送コース情報等の配送コース管理データを格納したデータベースＤＢ６が構築されている。
【００４９】
サーバ１００からは、図示しない配信手段を介して、無線通信回線Ｎ１によって、モバイル端末２００Ａ、２００Ｂに、配送時期、配送ルート等を含む各種情報が配信される。
【００５０】
なお、モバイル端末２００Ａ、２００Ｂは、液晶ディスプレイ等の表示装置２０５、キーボード等の入力装置２０６およびフラッシュメモリ等で構成される記憶装置２０７等を備えている。
【００５１】
（配送計画作成処理）
図４のフローチャートおよび図５、図６を参照して、上記構成に係る配送計画生成システムＳ１で実行される配送計画作成処理の処理手順について説明する。
【００５２】
ステップＳ１０１では、指針集計システム（送信手段）１２を常に起動した状態として、ステップＳ１０２に移行する。
【００５３】
ステップＳ１０２では、指針集計システム１２と受信手段１５０との間の通信網を介して残量検出手段１０（１１）で検出した各配送先（顧客）４００の指針情報（残量値データ）Ｄ３を取得する。
【００５４】
次いで、ステップＳ１０３では、取得した指針情報（残量値データ）Ｄ３に基づいて各配送先（顧客）４００のＬＰガスボンベ等の残量を算出してステップＳ１０５に移行する。
【００５５】
ステップＳ１０５では、算出された残量に基づいてＬＰガスボンベ等の配送が必要な配送先を絞り込んでステップＳ１０６に移行する。
【００５６】
ステップＳ１０６では、効率的配送のための距離、積載量、軒先残量（残量値データ）Ｄ３に基づいて、配送担当者を割り振ってステップＳ１０７に移行する。
【００５７】
ステップＳ１０７では、割り振りをした結果（即ち、第１の配送ルートＲ１に相当）を概略的な地図Ｍ１上に表示する（図５参照）。なお、第１の配送ルートＲ１の詳細については後述する。
【００５８】
次いで、ステップＳ１０８では、配送効率化ルート（即ち、第２の配送ルートＲ２に相当）を実際の道路地図Ｍ２上に表示する（図６参照）。なお、第２の配送ルートＲ２の詳細については後述する。
【００５９】
続いて、ステップＳ１０９に移行して、第２の配送ルートＲ２等の計算結果が適した精度か否かが判定され、「Ｎｏ」の場合にはステップＳ１０６に戻り、「Ｙｅｓ」の場合にはステップＳ１１０に移行する。
【００６０】
なお、ステップＳ１０９では、配送担当毎の配送先、配送ルート、交換するボンベ、現在残ガスを画面で確認することが出来る。
【００６１】
本システムＳ１は、直近の残ガス情報、ガス使用の状況、前年実績を参照して計算を行っているが、精度については、システムと管理者による判定となる。
【００６２】
本システムＳ１では、配送を実際した際の残ガス及び、配送員の走行距離等で、予め設定した閾値を超過しないか判定を行う。
【００６３】
管理者が判定する部分は、例えば、例年より寒くなるのが早まりそうという気象情報や、来週寒波が到来するというような情報を操作者が把握した場合で、これらは過去情報及び、現在情報だけでは判断できない。この場合、管理者は計算結果を元にしながら、臨時の計算パラメータを含めて再度計算を実行させる。
【００６４】
主なものとしては、秋の気温が下がっていく時期や、朝冷え込み始めることによるファンヒータ、床暖房など消費量が多い設備を使用開始する時期、逆に気温が上昇していく春先等の時期的な判断などが挙げられる。
【００６５】
ステップＳ１１０では、担当者が所有するモバイル端末２００Ａ（２００Ｂ）に配送指示を配信してステップＳ１１１に移行する。
【００６６】
ステップＳ１１１では、担当者が所有するモバイル端末２００Ａ（２００Ｂ）に、配送員の現在地および配送先の配送ルート（第２の配送ルートＲ２に相当）を表示して処理を終了する。
【００６７】
（配送ルートの具体例）
図５、図６を参照して、配送ルート（第１の配送ルートＲ１、第２の配送ルートＲ２）の具体例について説明する。
【００６８】
ここで、図５は、本実施の形態に係る配送計画生成システムＳ１で作成された第１の配送ルートＲ１の例を示す説明図、図６は、配送計画生成システムＳ１で作成された配送計画（第２の配送ルートＲ２）の例を示す説明図である。
【００６９】
図５に示す例では、ルートｒ１〜ｒ６の６つの第１の配送ルートＲ１を概略的な地図Ｍ１に表示している。
【００７０】
ルートｒ１を例に説明すると、配送地域にプロットした複数の配送先Ｃ１〜Ｃ４間の所要時間等に基づいて大まかな巡回ルートとなる第１の配送ルートｒ１を算出している。
【００７１】
他のルートｒ２〜ｒ３についても同様にして大まかな巡回ルートとなる第１の配送ルートｒ２〜ｒ６を算出している。
【００７２】
そして、例えば、配送先のＬＰガス等の残量値データＤ３に基づく優先順位を勘案して第２の配送ルートＲ１を選択することができる。
【００７３】
図５に示す例では、ＬＰガス等の残量値データＤ３について、ルートｒ１における残量値の平均が、６７／１００とルートｒ１〜ｒ６の中で一番低いので、優先順位を１位として選択している。
【００７４】
これにより、残量値がより少ない配送先に優先的に配送すること等の措置を取ることができ、効率性と共に顧客満足度を向上することができる。
【００７５】
なお、ルートｒ２〜ｒ６については、ルートｒ１に基づく配送の完了後に、再度優先順位を決定し、下記と同様に第２の配送ルートＲ２を選択するようにできる。
【００７６】
次いで、図６に示す配達経路確認ボードのように、上述のようにして選択した第１の配送ルートｒ１を予め格納した地図データ（実際の道路地図）Ｍ２に照らし合わせて、実際の走行ルートとなる第２の配送ルートＲ２を決定して表示する。
【００７７】
このように、最初に大まかな巡回ルートとなる第１の配送ルートＲ１を算出し、この第１の配送ルートＲ１に基づいて実際の走行ルートとなる第２の配送ルートＲ２を決定するという本発明独自の処理手順によれば、いきなり実際の走行ルートを検索する処理に比して、より高速に最適な配送ルートを検索することが可能となり、利便性を向上することができる。
【００７８】
なお、図６に示す例では、配達経路確認ボードの右側には、配送指示に関する詳細な情報を表示している。
【００７９】
これにより、実際の走行ルートとなる第２の配送ルートＲ２に沿ってトラック等を運行すると共に、注文品の正確な配送を支援することができる。
【００８０】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００８１】
例えば、本発明に係る配送計画生成システムが対象とする消費材は、ＬＰガスボンベのＬＰガス、燃料電池の水素ガスに限られず、タンクに充填されて配送される飲料水、灯油など、メータ等により検針可能な消費材であれば何れにも適用可能である。
【符号の説明】
【００８２】
Ｓ１…配送計画生成システム
１０…ガスメータ（残量検出手段）
１１…電力メータ（残量検出手段）
１２…送信手段（指針集計システム）
１００…サーバ
１０２…格納手段
１０３…演算手段（ビックデータ処理システム）
１０５…配信手段
１５０…受信手段
２００Ａ、２００Ｂ…端末装置（モバイル端末）
３００…消費材（ＬＰガス、水素ガス）
４００…配送先（顧客）
Ｄ３…残量値データ
Ｄ５…消費材の配送に関するデータ
Ｄ１０…配送データ
Ｍ１、Ｍ２…地図
Ｒ１（ｒ１〜ｒ６）…第１の配送ルート
Ｒ２…第２の配送ルート
【図１】
2019219783.tif 000003
【図２】
2019219783.tif 000004
【図３】
2019219783.tif 000005
【図４】
2019219783.tif 000006
【図５】
2019219783.tif 000007
【図６】
2019219783.tif 000008